(57)【要約】【課題】検出された各ハイライトシーン内に存在するハイライトシーン検出希望箇所の個数を各ハイライトシーンの重要度として利用することにより、各ハイライトシーンを再生するかどうかを制御する。その結果、ユーザーが視聴する期待度が高いハイライトシーンだけを再生する情報処理装置、及び情報処理方法を提供することを目的とする。【解決手段】ハイライトシーン情報とハイライトシーン検出希望箇所から、各ハイライトシーン内に存在するハイライトシーン検出希望箇所の個数をハイライトシーン重要度として、各ハイライトシーンの重要度を生成する重要度生成部１０７と、ユーザーが再生を希望するハイライトシーン重要度を入力する再生希望重要度入力部１０８と、ハイライトシーン情報とハイライトシーン重要度とユーザーが再生を希望するハイライトシーン重要度から、重要度の高い動画コンテンツの再生箇所を生成する再生箇所生成部１０９を設けた。【選択図】図１
2009225117.tif 000002
【特許請求の範囲】
【請求項１】
静止画コンテンツを入力する静止画コンテンツ入力手段と、
動画コンテンツを入力する動画コンテンツ入力手段と、
前記静止画コンテンツ入力手段から得られる静止画コンテンツから撮影時の時間情報を取得する静止画時間情報処理手段と、
前記動画コンテンツ入力手段から得られる動画コンテンツから撮影時の時間情報を取得する動画時間情報処理手段と、
前記静止画時間情報処理手段から得られる静止画時間情報と前記動画情報処理手段から得られる動画時間情報とを比較して時間情報からなるハイライトシーン検出希望箇所を生成する検出希望箇所生成手段と、
前記動画コンテンツ入力手段から動画コンテンツを読みだし、前記検出希望個所生成手段から得られるハイライトシーン検出希望箇所の近傍をハイライトシーン検出して時間情報からなる各ハイライトシーンを表すハイライトシーン情報を生成する情報生成手段と、
前記情報生成手段から得られるハイライトシーン情報と前記検出希望箇所生成手段から得られるハイライトシーン検出希望箇所から、各ハイライトシーン内に存在するハイライトシーン検出希望箇所の個数をハイライトシーン重要度として、各ハイライトシーンの重要度を生成する重要度生成手段と
を備えることを特徴とする情報処理装置。
【請求項２】
ユーザーが再生を希望するハイライトシーン重要度を入力する再生希望重要度入力手段と、
前記情報生成手段から得られるハイライトシーン情報と前記重要度生成手段から得られるハイライトシーン重要度と前記再生希望重要度入力手段から得られるユーザーが再生を希望するハイライトシーン重要度から、重要度の高い動画コンテンツの再生箇所を生成する再生箇所生成手段と、
前記動画コンテンツ入力手段から動画コンテンツを読みだし、前記再生箇所生成手段から得られる動画コンテンツの再生箇所に従って動画コンテンツを再生し、映像を出力する再生手段をさらに備えることを特徴とする、請求項１に記載の情報処理装置。
【請求項３】
前記再生手段から出力される映像を表示する表示手段をさらに備えることを特徴とする、請求項２に記載の情報処理装置。
【請求項４】
静止画コンテンツを入力する静止画コンテンツ入力ステップと、
前記静止画コンテンツ入力ステップから得られる静止画コンテンツから撮影時の時間情報を取得する静止画時間情報処理ステップと、
動画コンテンツを入力する動画コンテンツ入力ステップと、
前記動画コンテンツ入力ステップから得られる動画コンテンツから撮影時の時間情報を取得する動画時間情報処理ステップと、
前記静止画時間情報処理ステップから得られる静止画時間情報と前記動画情報処理ステップから得られる動画時間情報とを比較して時間情報からなるハイライトシーン検出希望箇所を生成する検出希望箇所生成ステップと、
前記動画コンテンツ入力ステップから動画コンテンツを読みだし、前記検出希望個所生成ステップから得られるハイライトシーン検出希望箇所の近傍をハイライトシーン検出して時間情報からなる各ハイライトシーンを表すハイライトシーン情報を生成する情報生成ステップと、
前記情報生成ステップから得られるハイライトシーン情報と前記検出希望箇所生成ステップから得られるハイライトシーン検出希望箇所から、各ハイライトシーン内に存在するハイライトシーン検出希望箇所の個数をハイライトシーン重要度として、各ハイライトシーンの重要度を生成する重要度生成ステップと
を有することを特徴とする情報処理方法。
【発明の詳細な説明】
【技術分野】
【０００１】
本発明は、動画コンテンツのハイライトシーンを再生する情報処理装置、及び情報処理方法に関するものである。
【背景技術】
【０００２】
従来の情報処理装置、及び情報処理方法は、動画コンテンツ撮影と同時に行われる静止画コンテンツ撮影時の時間情報をハイライトシーン検出希望箇所として利用し、その近傍をハイライトシーン検出することにより、動画コンテンツ全体をハイライトシーン検出するのに比べて、ハイライトシーン検出にかかる時間を短縮している（例えば、特願２００７−１３５１４０号参照。）。また、例えば、動画コンテンツから選択された複数のフレーム画像を並べて表示する際、静止画コンテンツの撮影情報をハイライトポイントとして利用するものがある（例えば、特許文献１参照。）。
【特許文献１】特開２００７−１３４７７１号公報
【発明の開示】
【発明が解決しようとする課題】
【０００３】
しかしながら、前記従来の構成では、検出された各ハイライトシーンの重要度が判断できないため、ユーザーにとっては視聴する期待度が低いシーンも再生しなければならないという課題を有していた。
【０００４】
本発明は、前記従来の課題を解決するもので、検出された各ハイライトシーン内に存在するハイライトシーン検出希望箇所の個数を各ハイライトシーンの重要度として利用することにより、各ハイライトシーンを再生するかどうかを制御する。その結果、ユーザーが視聴する期待度が高いハイライトシーンだけを再生する情報処理装置、及び情報処理方法を提供することを目的とする。
【０００５】
なお、前記従来の構成では、動画コンテンツから選択された複数のフレーム画像を並べて表示する際、静止画コンテンツの撮影情報をハイライトポイントとして利用するものがあるが、ハイライトシーン内に存在するハイライトシーン検出希望箇所の個数をそのハイライトシーンの重要度として利用してユーザーが視聴する期待度が高いハイライトシーンだけを再生するという本発明の目的を実現するものではない。
【課題を解決するための手段】
【０００６】
前記従来の課題を解決するために、本発明の情報処理装置、及び情報処理方法は、ハイライトシーン情報とハイライトシーン検出希望箇所から、各ハイライトシーン内に存在するハイライトシーン検出希望箇所の個数をハイライトシーン重要度として、各ハイライトシーンの重要度を生成する重要度生成手段と、ユーザーが再生を希望するハイライトシーン重要度を入力する再生希望重要度入力手段と、ハイライトシーン情報とハイライトシーン重要度とユーザーが再生を希望するハイライトシーン重要度から、重要度の高い動画コンテンツの再生箇所を生成する再生箇所生成手段を設けることにより、各ハイライトシーンを再生するかどうかを制御する。
【発明の効果】
【０００７】
以上のように、本発明の情報処理装置、及び情報処理方法によれば、各ハイライトシーンを再生するかどうかを制御することができ、ユーザーが視聴する期待度が高いハイライトシーンだけを再生することができる。
【発明を実施するための最良の形態】
【０００８】
以下、本発明を実施するための最良の形態について、図面を参照しながら説明する。
【０００９】
（実施の形態）
図１は、本発明の実施の形態における情報処理装置の構成図である。図１において、１０１は静止画コンテンツ入力部であり、静止画コンテンツを入力する。１０２は動画コンテンツ入力部であり、動画コンテンツを入力する。１０３は静止画時間情報処理部であり、静止画コンテンツ入力部１０１から得られる静止画コンテンツから撮影時の時間情報を取得する。１０４は動画時間情報処理部であり、動画コンテンツ入力部１０２から得られる動画コンテンツから撮影時の時間情報を取得する。１０５は検出希望箇所生成部であり、静止画時間情報処理部１０３から得られる静止画時間情報と動画時間情報処理部１０４から得られる動画時間情報とを比較して時間情報からなるハイライトシーン検出希望箇所を生成する。１０６は情報生成部であり、動画コンテンツ入力部１０２から動画コンテンツを読みだし、検出希望個所生成部１０５から得られるハイライトシーン検出希望箇所の近傍をハイライトシーン検出して時間情報からなる各ハイライトシーンを表すハイライトシーン情報を生成する。１０７は重要度生成部であり、情報生成部１０６から得られるハイライトシーン情報と検出希望箇所生成部１０５から得られるハイライトシーン検出希望箇所から、各ハイライトシーン内に存在するハイライトシーン検出希望箇所の個数をハイライトシーン重要度として、各ハイライトシーンの重要度を生成する。１０８は再生希望重要度入力部であり、ユーザーが再生を希望するハイライトシーン重要度を入力する。１０９は再生箇所生成部であり、情報生成部１０６から得られるハイライトシーン情報と重要度生成部１０７から得られるハイライトシーン重要度と再生希望重要度入力部１０８から得られるユーザーが再生を希望するハイライトシーン重要度から、重要度の高い動画コンテンツの再生箇所を生成する。１１０は再生部であり、動画コンテンツ入力部１０２から動画コンテンツを読みだし、再生箇所生成部１０９から得られる動画コンテンツの再生箇所に従って動画コンテンツを再生し映像を出力する。１１１は表示部であり、再生部１１０から出力される映像を表示する。
【００１０】
図２は、本発明の実施の形態におけるハイライトシーン情報およびハイライトシーン重要度を生成する情報処理方法のフローチャートである。図２において、Ｓ１０１は静止画コンテンツ入力ステップであり、静止画コンテンツが入力される。Ｓ１０２は動画コンテンツ入力ステップであり、動画コンテンツが入力される。Ｓ１０３は静止画時間情報処理ステップであり、静止画コンテンツ入力ステップＳ１０１で入力された静止画コンテンツから撮影時の時間情報を取得する。Ｓ１０４は動画時間情報処理手段であり、動画コンテンツ入力ステップＳ１０２で入力された動画コンテンツから撮影時の時間情報を取得する。Ｓ１０５は検出希望箇所生成ステップであり、静止画時間情報処理ステップＳ１０３で取得された静止画時間情報と動画時間情報処理ステップＳ１０４で取得された動画時間情報とを比較して時間情報からなるハイライトシーン検出希望箇所を生成する。Ｓ１０６は情報生成ステップであり、動画コンテンツ入力ステップＳ１０２で入力された動画コンテンツにおいて、検出希望個所生成ステップＳ１０５で生成されたハイライトシーン検出希望箇所の近傍をハイライトシーン検出して時間情報からなる各ハイライトシーンを表すハイライトシーン情報を生成する。Ｓ１０７は重要度生成ステップであり、情報生成ステップＳ１０６で生成されたハイライトシーン情報と検出希望箇所生成ステップＳ１０５で生成されたハイライトシーン検出希望箇所から、各ハイライトシーン内に存在するハイライトシーン検出希望箇所の個数をハイライトシーン重要度として、各ハイライトシーンの重要度を生成する。
【００１１】
次に、本発明の実施の形態による情報処理装置の動作について図１および図２を用いて説明する。まず、静止画コンテンツ入力部１０１に撮影時の時間情報がｔｓ１である静止画コンテンツＳ１、撮影時の時間情報がｔｓ２である静止画コンテンツＳ２、撮影時の時間情報がｔｓ３である静止画コンテンツＳ３が入力されているとする。（静止画コンテンツ入力ステップＳ１０１）また、動画コンテンツ入力部１０３に撮影時の時間情報が［ｔｍｓ−ｔｍｅ］である動画コンテンツＭが入力されているとする。（動画コンテンツ入力ステップＳ１０２）ただし、ｔｍｓ  ＜  ｔｓ１  ＜  ｔｓ２  ＜  ｔｓ３  ＜  ｔｍｅであるとする。
【００１２】
次いで、静止画時間情報処理部１０２では、静止画コンテンツ入力部１０１から得られる静止画コンテンツＳ１から撮影時の時間情報ｔｓ１を、静止画コンテンツＳ２から撮影時の時間情報ｔｓ２、静止画コンテンツＳ３から撮影時の時間情報ｔｓ３を取得する。（静止画時間情報処理ステップＳ１０３）
次いで、動画時間情報処理部１０４では、動画コンテンツ入力部１０３から得られる動画コンテンツＭから撮影時の時間情報［ｔｍｓ−ｔｍｅ］を取得する。（動画時間情報処理ステップＳ１０４）
次いで、検出希望箇所生成部１０５では、静止画時間情報処理部１０２から得られる静止画時間情報ｔｓ１，  ｔｓ２，  ｔｓ３と動画時間情報処理部１０４から得られる動画時間情報［ｔｍｓ−ｔｍｅ］とを比較して時間情報からなるハイライトシーン検出希望箇所（ｔｓ１，  ｔｓ２，  ｔｓ３）を生成する。（検出希望箇所生成ステップＳ１０５）
次いで、情報生成部１０６では、動画コンテンツ入力部１０３から動画コンテンツＭを読みだし、検出希望個所生成部１０５から得られるハイライトシーン検出希望箇所（ｔｓ１，  ｔｓ２，  ｔｓ３）の近傍をハイライトシーン検出して時間情報からなる各ハイライトシーンを表すハイライトシーン情報［ｔｈ１ｓ−ｔｈ１ｅ］  ，  ［ｔｈ２ｓ−ｔｈ２ｅ］を生成する。ただし、ｔｍｓ  ＜  ｔｈ１ｓ  ＜  ｔｓ１  ＜  ｔｓ２  ＜  ｔｈ１ｅ  ＜  ｔｈ２ｓ  ＜  ｔｓ３  ＜  ｔｈ２ｅ  ＜  ｔｍｅであるとする。（情報生成ステップＳ１０６）
次いで、重要度生成部１０７では、情報生成部１０６から得られるハイライトシーン情報［ｔｈ１ｓ−ｔｈ１ｅ］  ，  ［ｔｈ２ｓ−ｔｈ２ｅ］と検出希望箇所生成部１０５から得られるハイライトシーン検出希望箇所（ｔｓ１，  ｔｓ２，  ｔｓ３）から、各ハイライトシーン内に存在するハイライトシーン検出希望箇所の個数からハイライトシーン重要度２、１を生成する。（重要度生成ステップＳ１０７）  次いで、再生希望重要度入力部１０８では、ユーザーが再生を希望するハイライトシーン重要度２が入力されているとする。
【００１３】
次いで、再生箇所生成部１０９では、情報生成部１０６から得られるハイライトシーン情報［ｔｈ１ｓ−ｔｈ１ｅ］  ，  ［ｔｈ２ｓ−ｔｈ２ｅ］と重要度生成部１０７から得られるハイライトシーン重要度２，  １と再生希望重要度入力部１０８から得られるユーザーが再生を希望するハイライトシーン重要度２から、ハイライトシーン重要度が２と等しいハイライトシーン情報［ｔｈ１ｓ−ｔｈ１ｅ］から動画コンテンツＭの再生箇所［ｔｈ１ｓ−ｔｈ１ｅ］を生成する。
【００１４】
次いで、再生部１１０では、動画コンテンツ入力部１０３から動画コンテンツＭを読みだし、再生箇所生成部１０９から得られる動画コンテンツＭの再生箇所［ｔｈ１ｓ−ｔｈ１ｅ］に従って動画コンテンツＭを再生し映像を出力する。
【００１５】
次いで、表示部１１１では、再生部１１０から出力される映像を表示する。
【００１６】
なお、ここでは、静止画コンテンツ入力部１０１に入力する静止画コンテンツを３つとして説明したが、１つもしくは２つ以上を入力することも可能である。
【００１７】
また、ここでは、ユーザーが再生を希望するハイライトシーン重要度に等しいハイライトシーン重要度のハイライトシーン情報を動画コンテンツＭの再生箇所とするものとして説明したが、ユーザーが再生を希望するハイライトシーン重要度以上またはより大きいハイライトシーン情報を動画コンテンツＭの再生箇所とすることも可能である。
【産業上の利用可能性】
【００１８】
本発明にかかる情報処理装置、及び情報処理方法は、各ハイライトシーンを再生するかどうかを制御することができ、ユーザーが視聴する期待度が高いハイライトシーンだけを再生することができるので、動画コンテンツのハイライトシーンを再生する情報処理装置、及び情報処理方法等の用途に有用である。
【図面の簡単な説明】
【００１９】
【図１】本発明の実施の形態における情報処理装置の構成図
【図２】本発明の実施の形態におけるハイライトシーン情報およびハイライトシーン重要度を生成する情報処理方法のフローチャート
【符号の説明】
【００２０】
１０１    静止画コンテンツ入力部
１０２    動画コンテンツ入力部
１０３    静止画時間情報処理部
１０４    動画時間情報処理部
１０５    検出希望箇所生成部
１０６    情報生成部
１０７    重要度生成部
１０８    再生希望重要度入力部
１０９    再生箇所生成部
１１０    再生部
１１１    表示部
【図１】
2009225117.tif 000003
【図２】
2009225117.tif 000004